(57)【要約】【課題】番組放送中に、入力された検索語に対してカテゴリ別に多様な検索結果を提供する。【解決手段】本発明による双方向放送端末に番組放送中に総合検索サービスを提供する方法は、（ａ）ユーザ入力手段のキーの入力に応答して、双方向放送端末の画面に総合検索サービスを提供するための検索領域を提供し、（ｂ）検索領域に入力された検索語に応答して、複数のタブを有する総合検索結果を提供し、（ｃ）複数のタブのうち第１タブを選択する場合、検索語に関連した放送番組を現在時間に近い順に整列させて提供し、（ｄ）複数のタブのうち第２タブを選択する場合、検索語に関連したビデオ・オン・デマンド（ＶＯＤ）を番組単位当たりで提供することを含む。【選択図】図１５
2010158026.tif 000002
【特許請求の範囲】
【請求項１】
双方向放送端末に、番組放送中に総合検索サービスを提供する方法であって、
ユーザ入力手段のキーの入力に応答して、前記双方向放送端末の画面に前記総合検索サービスを提供するための検索領域を提供し、
前記検索領域に入力された検索語に応答して、複数のタブを有する総合検索結果を提供し、
前記複数のタブのうち第１タブを選択する場合、前記検索語に関連した番組リストを提供すること
を含むことを特徴とする総合検索サービス提供方法。
【請求項２】
前記番組リストは、現在時間に近い順に整列された放送番組リスト又は番組単位当たりのビデオ・オン・デマンド(VOD)リストのうちいずれか一つ以上であることを特徴とする請求項１に記載の総合検索サービス提供方法。
【請求項３】
前記番組リストが現在時間に近い順に整列された前記放送番組リスト及び前記番組単位当たりのビデオ・オン・デマンドリストの全部を含んだ場合、前記放送番組リスト及び前記ビデオ・オン・デマンドリストは、各々別途のタブに提供されることを特徴とする請求項２に記載の統合検索サービス提供方法。
【請求項４】
前記複数のタブは、コンテンツ、ブログ、カフェ、イメージ、ニュース及び知識サービスの検索結果を提供するタブのうち一つ以上をさらに含むことを特徴とする請求項１に記載の総合検索サービス提供方法。
【請求項５】
前記第１タブに提供される前記番組がビデオ・オン・デマンドであり、前記ビデオ・オン・デマンドがシリーズ番組の場合、前記シリーズ番組を選択するとき、１話毎にコンテンツリストを提供することをさらに含むことを特徴とする請求項１に記載の総合検索サービス提供方法。
【請求項６】
前記第１タブに提供された番組のうちいずれか一つが選択された場合、前記放送中の番組を前記選択された番組に変更して放送することをさらに含むことを特徴とする請求項１に記載の総合検索サービス提供方法。
【請求項７】
前記検索領域は、前記検索語を入力することができる検索ウィンドウを含み、前記検索ウィンドウには、前記検索ウィンドウが選択される場合、前記検索ウィンドウに表示された検索語の変形語が含まれた拡張ポップアップが提供されることを特徴とする請求項１に記載の総合検索サービス提供方法。
【請求項８】
双方向放送端末に、番組放送中に総合検索サービスを提供する番組を記録した記録媒体であって、請求項１乃至７のいずれか１項に記載の方法を実行させるためのソフトウェアが記録されたコンピュータで読み取り可能な記録媒体。
【請求項９】
双方向放送端末に、番組放送中に総合検索サービスを提供する装置において、
検索語を入力することができる検索ウィンドウと、前記検索ウィンドウに隣接する複数のタブとを含む総合検索結果領域を提供する検索領域提供部と、
前記検索ウィンドウに検索語が入力された場合、前記入力された検索語と関連がある情報を複数のカテゴリで検索する総合検索部と、
前記検索された情報を前記カテゴリに対応する内容に応じて前記複数のタブ各々に提供する検索結果提供部と、
を含み、
前記複数のタブのうち第１タブには、前記検索語に関連した番組リストが提供されることを特徴とする総合検索サービス提供装置。
【請求項１０】
前記番組リストは現在時間に近い順に整列された放送番組リスト又は番組単位当たりのビデオ・オン・デマンド(VOD)リストのうちいずれか一つ以上であることを特徴とする請求項９に記載の総合検索サービス提供装置。
【請求項１１】
前記番組リストが現在時間に近い順に整列された前記放送番組リスト及び前記番組単位当たりのビデオ・オン・デマンドリストの全部を含んだ場合、前記放送番組リスト及び前記ビデオ・オン・デマンドリストは、各々別途のタブに提供されることを特徴とする請求項９に記載の総合検索サービス提供装置。
【請求項１２】
前記番組リストが前記ビデオ・オン・デマンドリストの場合、前記検索結果提供部は前記検索語に関連したビデオ・オン・デマンドを番組単位に加工して前記第１タブに提供することを特徴とする請求項７に記載の総合検索サービス提供装置。
【請求項１３】
前記番組リストが前記放送番組リストの場合、前記検索結果提供部は、前記検索語に関連した放送番組を既に保存された放送属性情報とマッチングさせて前記第１タブに提供し、前記放送属性情報は、前記放送番組のチャンネル名、番組名、代表イメージ、放送日付及び出演陣のうち一つ以上を含むことを特徴とする請求項１０に記載の総合検索サービス提供装置。
【請求項１４】
前記複数のタブは、コンテンツ、ブログ、カフェ、イメージ、ニュース及び知識サービスの検索結果を提供するタブのうち一つ以上をさらに含むことを特徴とする請求項９に記載の総合検索サービス提供装置。
【請求項１５】
前記第１タブに提供された番組のうちいずれか一つが選択された場合、前記放送中の番組を前記選択された番組に変更して放送する番組提供部をさらに含むことを特徴とする請求項９に記載の総合検索サービス提供装置。
【発明の詳細な説明】
【技術分野】
【０００１】
本発明は、番組放送中に総合検索サービスを提供する方法及び装置に関し、より詳細には、双方向放送端末に番組放送中に総合検索サービスを提供する方法及び装置に関する。
【背景技術】
【０００２】
最近、放送とデータ通信との間の境界がなくなるのに伴なって、ビデオ・オン・デマンド（ＶＯＤ：Video On Demand）、データ放送、Ｔコマース、ＩＰテレビなどの双方向放送サービスが活発に開発されている。
【０００３】
このような双方向放送は、単純にすべてのユーザに同一の放送コンテンツを提供するという水準を越えて、リターンチャンネルを利用して視聴者の要求を反映し、視聴者が直接選択したコンテンツを提供するサービスも可能である。
【０００４】
一方、インターネットの多様なサービスが放送に融合することによって、インターネットサービスのうち最も主要なサービスの一つである検索サービスも放送受信機で実行されることが可能になった。例えば、ＩＰテレビは、インターネットＩＰベースのネットワークを利用して放送コンテンツを提供しながら、既存のＩＰベースの多様なサービスを放送と融合させて提供している。特に、放送コンテンツに対する視聴者の好奇心を直ちに満足させることができるコンテンツ関連キーワード検索は、現在も需要が多く存在する。
【０００５】
また、最近、多様な放送番組情報を提供する電子番組ガイド（Electronic Program Guide：ＥＰＧ）サービスが商用化されており、セットトップボックス（Set Top Box：ＳＴＢ）などのようなデジタル放送受信機は、ＥＰＧ情報を受信した後、テレビのような外部連結機器の画面を通じてＥＰＧ情報を出力することによって、ユーザが所望の放送番組情報を容易に検索することができるようにしている。
【０００６】
図１は、従来技術によるコンテンツ関連補充情報を検索するシステムを概略的に示す図である。
【０００７】
第１の先行技術として、韓国特許公開第２００３‐９６３６２号は、ラジオ聴取者またはテレビ視聴者が、実時間に受信される放送番組に関する補充情報を提供される構成を開示している。
【０００８】
図１に示された従来技術による放送番組システムは、放送受信機１０、ユーザ端末機２０、放送局３０、チャンネル情報サーバ４０及びウェブサーバ５０を含む。
【０００９】
放送受信機１０は、放送局３０から送信される放送コンテンツを受信し、例えば、テレビであってもよい。
【００１０】
チャンネル情報サーバ４０は、放送局３０から放送される放送コンテンツ別に補充情報に関するＵＲＬ情報を提供する。視聴者が現在放送されているコンテンツに関する補充情報検索を希望する場合には、ユーザ端末機２０を利用してチャンネル情報サーバ４０に補充情報に関するＵＲＬ情報を要求する。
【００１１】
チャンネル情報サーバ４０は、チャンネルや放送番組の主題別ＵＲＬ情報をユーザ端末機２０に伝送し、ユーザ端末機２０は、前記主題別ＵＲＬ情報を利用してウェブサーバ５０から補充情報を検索することができる。
【００１２】
図２は、一般的なＩＰテレビ放送サービスシステムの概略的な構成図である。
【００１３】
図２を参照すると、一般的なＩＰテレビ放送サービスシステムは、放送社業者６０、ＩＰテレビ放送システム７０及びユーザ端末機８０を含む。
【００１４】
ＩＰテレビ放送システム７０は、放送コンテンツを保存するための保存サーバ、ユーザ端末機８０に放送コンテンツを伝送し、リターンチャンネルから入力されるユーザ要求信号を処理するための制御サーバ、及び放送コンテンツを分配するための分配サーバなどを含んでもよい。
【００１５】
ＩＰテレビ放送システム７０は、コンテンツ提供者（Content Provider：ＣＰ）または放送社業者６０から提供された番組コンテンツを管理し、ＣＤＮ（Content Delivery Network）などを通じて番組コンテンツを加入者の近くにある端末に分配して、放送／録画／再生サービスを提供することができる。この際、コンテンツ提供者または放送社業者６０から提供された番組コンテンツには、関連付加情報が含まれていてもよい。
【００１６】
ユーザ端末機８０は、インターネット放送サービスを利用するための装置であって、一般的に、テレビ８１、セットトップボックス８２及びリモコン８３で構成される。テレビ８１は、ＩＰテレビ放送システム７０から受信した放送コンテンツを出力する。リモコン８３を用いて入力されたユーザ要求信号は、セットトップボックス８２のリターンチャンネルを通じてＩＰテレビ放送システム７０に伝達される。
【００１７】
一方、第２の先行技術として、韓国特許公開第２００２‐００８１７号には、「ＥＰＧベースのデータ放送システム及び方法並びにその番組ソースを保存した記録媒体」という名称の発明が開示されている。
【００１８】
第２の先行技術は、データ放送に関するものであって、データベースに放送番組上映時刻、芸能人の身上情報、商品情報を構築し、それぞれの検索モジュールが検索した結果をデータ放送用カルーセルで構成して出力する。提供されたデータは、データチャンネルから視聴者が選択した、芸能人情報及び商品情報として提供される。
【００１９】
一方、第３の先行技術として、韓国特許公開第２００３‐７０１４５号には、「放送またはレコーディングされた番組をワールドワイドウェブ上の情報を使用して拡張させるシステム及び方法」という名称の発明が開示されている。
【００２０】
第３の先行技術は、特定の番組に関連した複数の主題を選択し、前記複数の主題に対するユーザ装置がアクセス可能な複数のサーバのうち一つのサーバに位置するハイパーリンク（Hyperlink）を設定することによって、番組タイミングファイルを保存する構成を開示している。ここで、前記ハイパーリンクは、選択された主題それぞれに対して、番組内に時間区間を定義し、その時間区間と関連させて保存し、これにより、ネットワークに接続されたユーザ装置が前記ハイパーリンクに関連した目的地アドレスを検索することができることを開示している。
【００２１】
また、第３の先行技術は、レコーディングされた番組の場合でも、世界標準時を利用してレコーディングされた番組を放送したチャンネルサーバから主題に関連した情報を検索可能であることを開示している。
【先行技術文献】
【特許文献】
【００２２】
【特許文献１】韓国特許公開２００３‐００９６３６２号公報
【特許文献２】韓国特許公開２００２‐００００８１７号公報
【特許文献３】韓国特許公開２００３‐００７０１４５号公報
【発明の概要】
【発明が解決しようとする課題】
【００２３】
前述したように、放送端末機で番組に関連した付加情報及び主題の検索を提供する技術が第１乃至第３の先行技術文献に開示されてはいるが、番組視聴とともに限定された画面空間で、入力された検索語に対してウェブ検索サイトが提供する多様な検索結果とともに、入力された検索語に対する実時間放送番組とビデオ・オン・デマンド（ＶＯＤ）とを提供する技術については開示されていない。
【００２４】
本発明は、番組放送中に、入力された検索語に対してカテゴリ別に多様な検索結果を提供する。
【００２５】
また、本発明は、番組放送中に、入力された検索語に関連した実時間放送番組とビデオ・オン・デマンド（ＶＯＤ）サービスを提供する。
【００２６】
本発明の目的は、以上に記述した目的に限定されず、記述しない他の目的は、下記の記載から明確に理解することができる。
【課題を解決するための手段】
【００２７】
上記目的を達成するために、本発明の一態様に係る双方向放送端末に番組放送中に総合検索サービスを提供する方法は、（ａ）ユーザ入力手段のキーの入力に応答して、双方向放送端末の画面に総合検索サービスを提供するための検索領域を提供し、（ｂ）検索領域に入力された検索語に応答して、複数のタブを有する総合検索結果を提供し、（ｃ）複数のタブのうち第１タブを選択する場合、前記検索語に関連した放送番組を現在時間に近い順に整列させて提供し、（ｄ）複数のタブのうち第２タブを選択する場合、前記検索語に関連したビデオ・オン・デマンド（ＶＯＤ）を番組単位当たりで提供すること、を含む。
【００２８】
上記目的を達成するために、本発明の他の態様に係る双方向放送端末に番組放送中に総合検索サービスを提供する装置は、検索語を入力することができる検索ウィンドウと、該検索ウィンドウに隣接する複数のタブとを含む総合検索結果領域を提供する検索領域提供部と、検索ウィンドウに検索語が入力された場合、入力された検索語と関連がある情報を複数のカテゴリで検索する総合検索部と、検索された情報を前記カテゴリに対応する内容に応じて複数のタブ各々に提供する検索結果提供部と、を含み、複数のタブのうち第１タブは、前記検索語に関連した放送番組が現在時間に近い順に整列されて提供され、複数のタブのうち第２タブは、前記検索語に関連したビデオ・オン・デマンド（ＶＯＤ）が番組単位当たりで提供される。
【００２９】
上記目的を達成するための具体的な事項は、図面と共に詳細に後述する実施形態を参照すれば明確になる。
【００３０】
しかし、本発明は、以下に開示される実施形態に限定されるものではなく、異なる様々な形態で構成され得る。本実施形態は、本発明の開示を完全にし、本発明の属する技術分野における通常の知識を有する者に発明の範疇を完全に知らせるために提供されるものである。
【発明の効果】
【００３１】
上述した本発明の番組放送中に総合検索サービスを提供する方法及び装置の課題の解決手段の一つによれば、番組の視聴とともに、限定された画面空間で、番組の属性情報（例えば、チャンネル名、番組名、俳優名、キャラクタ名など）を入力するだけで、カテゴリ別に多様な検索結果が提供される得る。
【００３２】
また、入力された検索語に対して多様な検索結果が提供されることによって、各カテゴリ別に検索語を入力しなければならないという不便さを解消することができる。
【００３３】
また、入力された検索語に対して二元化された実時間放送番組及びビデオ・オン・デマンド（ＶＯＤ）サービスが提供されることによって、円滑に実時間放送サービス及びビデオ・オン・デマンドサービスを利用することができる。
【図面の簡単な説明】
【００３４】
【図１】従来技術によるコンテンツ関連補充情報を検索するシステムを概略的に示す図である。
【図２】一般的なＩＰテレビ放送サービスシステムの概略的な構成図である。
【図３】本発明の一実施形態による番組放送中に総合検索サービスを提供するシステムの概要を示す図である。
【図４】本発明の一実施形態による番組放送中に総合検索サービスを提供する装置の構成を示すブロック図である。
【図５】本発明の実施形態による番組放送中に総合検索サービスを提供する装置を通じてテレビ画面に表示された検索領域を示す図である。
【図６】本発明の実施形態による番組放送中に総合検索サービスを提供する装置を通じてテレビ画面に表示された検索領域を示す図である。
【図７】本発明の実施形態による番組放送中に総合検索サービスを提供する装置を通じてテレビ画面に表示された検索領域を示す図である。
【図８】本発明の実施形態による番組放送中に総合検索サービスを提供する装置を通じてテレビ画面に表示された検索領域を示す図である。
【図９】本発明の実施形態による番組放送中に総合検索サービスを提供する装置を通じてテレビ画面に表示された検索領域を示す図である。
【図１０】本発明の実施形態による番組放送中に総合検索サービスを提供する装置を通じてテレビ画面に表示された検索領域を示す図である。
【図１１】本発明の実施形態による番組放送中に総合検索サービスを提供する装置を通じてテレビ画面に表示された検索領域を示す図である。
【図１２】本発明の実施形態による番組放送中に総合検索サービスを提供する装置を通じてテレビ画面に表示された検索領域を示す図である。
【図１３】本発明の実施形態による番組放送中に総合検索サービスを提供する装置を通じてテレビ画面に表示された検索領域を示す図である。
【図１４】本発明の実施形態による番組放送中に総合検索サービスを提供する装置を通じてテレビ画面に表示された検索領域を示す図である。
【図１５】本発明の一実施形態による番組放送中に総合検索サービスを提供する過程を示すフローチャートである。
【発明を実施するための形態】
【００３５】
以下、図面を参照して本発明の属する技術分野における通常の知識を有する者が容易に実施することができるように本発明の実施形態を詳しく説明する。しかし、本発明は、様々な異なる形態で実現されることができ、下記に説明する実施形態に限定されるものではない。
【００３６】
なお、図面において、本発明を明確に説明するために、説明と関係がない部分を省略し、明細書全般において同様の部分に同様の参照符号を付けた。明細書全般において、或る部分が他の部分と「連結」または「接続」されているとするとき、これは、「直接的に連結」または「直接的に接続」されている場合だけでなく、その中間に他の素子を介して「電気的に連結」または「電気的に接続」されている場合をも含む。また、或る部分が任意の構成要素を「含む」とするとき、これは、特に反対の記載がない限り、他の構成要素を除外するものではなく、他の構成要素をさらに含むことができることを意味する。
【００３７】
以下、構成図またはフローチャートを参照して、本発明の実施のための具体的な内容を説明する。参照として、本発明の実施形態では、双方向放送端末としてＩＰテレビ（以下、テレビという）を使用するが、本発明が必ずこれに限定されるものではなく、放送システムに使用される双方向通信が可能な端末なら、本発明の双方向放送端末の範疇に含まれるものと理解すべきである。
【００３８】
図３は、本発明の一実施形態による番組放送中に総合検索サービスを提供するシステムの概要を示す図である。
【００３９】
本発明の一実施形態による番組放送中に総合検索サービスを提供するシステムは、放送事業者サーバ３１０、ＩＰテレビ放送システム３２０、ユーザ端末機３３０、総合検索サービス提供部３４０を含む。
【００４０】
図３に示されたシステムの構成要素をさらに詳しく説明すれば、まず、放送事業者サーバ３１０は、多様な放送コンテンツを提供する。ＩＰテレビ放送システム３２０は、放送コンテンツを保存するための保存サーバ、リターンチャンネルから入力されるユーザ要求信号（番組推薦要求信号、付加情報要求信号など）を処理するためのリターンパスサーバ、及び放送コンテンツを分配するための分配サーバなどを含んでもよい。
【００４１】
ここで、放送コンテンツは、番組編成計画に基づいて地上波放送で提供される放送番組やケーブル放送で提供される放送番組、そして通信社で提供されるＶＯＤサービスを含み、以下では、「番組」という。
【００４２】
一方、ユーザ端末機３３０は、インターネット放送サービスを利用するための装置であって、一般的に、テレビ３３１、セットトップボックス３３２、及びユーザ入力手段としてのリモコン３３３を含む。ユーザ端末機３３０は、ＩＰテレビ放送システム３２０から受信した放送コンテンツを再生し、リモコン３３３を用いて入力されたユーザ要求信号をセットトップボックス３３２のリターンチャンネルを通じてＩＰテレビ放送システム３２０に伝達する。
【００４３】
ユーザ端末機３３０には、セットトップボックスが内蔵されたテレビ、またはユーザのテレビに接続されたセットトップボックス、デスクトップパソコン、ノートパソコン、または個人携帯用端末機のうちいずれか一つの端末を使用することができる。
【００４４】
セットトップボックスは、ＣＰＵ、メディアプロセッサ、フラッシュＲＡＭ、イーサネット（登録商標）モジュールなどのＳＴＢハードウェアで構成されたハードウェア階層と、デバイスドライバーと運営体制などのシステムソフトウェアを含むシステムソフトウェア階層と、ジャバ仮想マシン（Java（登録商標） Virtual Machine：ＪＶＭ）、受信制限システム（Conditional Access System：ＣＡＳ）モジュール及びデジタル著作権管理（Digital Rights Management：ＤＲＭ）インターフェースモジュール、ストリーミングプロトコルＲＴＰ、ＲＴＳＰを搭載したミドルウェア階層と、ＭＰＥＧ２、ＭＰＥＧ４、ＭＰＥＧ７、Ｈ．２６４、ＷＭＶ‐９などの多様なマルチコーデック（Ｍｕｌｔｉ  ＣＯＤＥＣ）をサポートし、ＩＰテレビサービスチャンネルを選択するための電子番組ガイド（Electronic Program Guide：ＥＰＧ）を含むアプリケーション階層とからなる４階層を含む。この際、加入者のＩＰセットトップボックスには、ＩＰｖ４アドレスまたはＩＰｖ６アドレスが割り当てられてもよい。
【００４５】
一方、総合検索サービス提供部３４０は、ユーザ入力手段であるリモコン３３３のキーのうちいずれか一つの入力に応答して、ユーザ端末機３３０に、番組放送中に総合検索サービスのための総合検索結果領域を提供する。
【００４６】
ここで、総合検索結果領域は、番組放送中に検索語を入力することができる検索ウィンドウと、検索ウィンドウに入力された検索語に対して総合検索結果が提供される複数のタブとを含む。ここで、さらに、複数のタブは、検索語に関連した放送番組を現在時間に近い順に整列させて提供する放送番組タブと、検索語に関連したビデオ・オン・デマンド（ＶＯＤ）を番組単位当たりで提供するＶＯＤタブとを含んでもよい。
【００４７】
その他、前述した複数のタブは、検索語に関連したコンテンツに対する情報を提供するコンテンツタブと、検索語に関連した内容を含むブログの情報を提供するブログタブと、検索語に関連した内容を含むカフェの情報を提供するカフェタブと、検索語に関連したイメージを提供するイメージタブと、検索語に関連したニュースを提供するニュースタブと、検索語に関連した知識サービスの検索結果を提供する知識タブのうち一つ以上をさらに含んでもよい。
【００４８】
したがって、ユーザが特定の番組の視聴中に、リモコン３３３のような入力手段の所定キーを入力すれば、総合検索サービス提供部３４０は、ユーザ端末機３３０に総合検索結果領域を提供する。ユーザは、提供された総合検索結果領域の検索ウィンドウに検索語を入力する。ユーザから入力された検索後に対して、その検索語に関連した多様なカテゴリ別の検索結果が提供されることによって、リモコン３３３のように入力手段が制限される環境においても、総合的な検索結果を限定された画面空間に効率的に表示することができる。
【００４９】
参照として、総合検索サービス提供部３４０は、ユーザによって特定の番組の視聴中にリモコン３３３のような入力手段の所定キーが入力されると、現在放送中の番組の代表キーワードや推薦検索語を総合検索結果領域の検索ウィンドウに自動的に入力してユーザに提供してもよい。この際、総合検索結果が提供される複数のタブには、検索ウィンドウに自動に入力された、現在放送中の番組の代表キーワードや推薦検索語に関連した総合検索結果が提供される。
【００５０】
また、ユーザのリモコン３３３の選択によって検索ウィンドウが選択される場合、総合検索サービス提供部３４０は、検索ウィンドウに表示された検索語の変形語（類似語）が含まれた拡張ポップアップを提供してもよい。また、総合検索結果領域がテレビ３３１の画面に表示されるとき、総合検索結果領域の透明度や位置を調節することによって、総合検索結果領域が現在放送中の番組を遮るという問題を解消することもできる。
【００５１】
図４は、本発明の一実施形態による番組放送中に総合検索サービスを提供する装置の構成を示すブロック図である。
【００５２】
本発明の一実施形態による番組放送中に総合検索サービスを提供する装置は、総合検索結果領域提供部３４１、総合検索部３４２、検索結果提供部３４３及び番組提供部３４４を含む。
【００５３】
参照として、本発明の実施形態による図４に示された構成要素は、ソフトウェアまたはＦＰＧＡ（Field Programmable Gate Array）またはＡＳＩＣ（Application Specific Integrated Circuit）のようなハードウェアドレッシングア構成要素を意味し、所定の役目を行う。
【００５４】
しかし、「構成要素」は、ソフトウェアまたはハードウェアに限定される意味ではなく、各構成要素は、アドレスすることができる保存媒体にあるように構成されてもよく、または、それ以上のプロセッサを再生させるように構成されてもよい。
【００５５】
したがって、一例として、構成要素は、ソフトウェア構成要素、オブジェクト指向ソフトウェア構成要素、クラス構成要素及びタスク構成要素のような構成要素、プロセス、関数、属性、プロシージャ、サブルーチン、番組コードのセグメント、ドライバ、ファームウエア、マイクロコード、回路、データ、データベース、データ構造、テーブル、アレイ及び変数を含む。
【００５６】
構成要素及び当該構成要素内で提供される機能は、さらに小さい数の構成要素で結合にまとまるか、または追加的な構成要素にさらに分離されてもよい。
【００５７】
まず、総合検索結果領域提供部３４１は、検索語を入力することができる検索ウィンドウと、検索ウィンドウに隣接する複数のタブとを含む総合検索結果領域を提供する。
【００５８】
ここで、複数のタブは、検索語に関連した放送番組を現在時間に近い順に整列して提供する放送タブと、検索語に関連したビデオ・オン・デマンド（ＶＯＤ）を番組単位当たりで提供するＶＯＤタブとを含んでもよい。
【００５９】
その他、前述した複数のタブは、検索語に関連したコンテンツに関する情報を提供するコンテンツタブと、検索語に関連した内容を含むブログの情報を提供するブログタブと、検索語に関連した内容を含むカフェの情報を提供するカフェタブと、検索語に関連したイメージを提供するイメージタブと、検索語に関連したニュースを提供するニュースタブと、検索語に関連した知識サービスの検索結果を提供する知識タブのうち一つ以上をさらに含んでもよい。
【００６０】
参照として、ユーザが特定の番組の視聴中にリモコン３３３のような入力手段の所定キーを入力する場合、総合検索結果領域提供部３４１は、総合検索部３４２から提供された現在放送中の番組の代表キーワードや推薦検索語を総合検索結果領域の検索ウィンドウに自動的に入力して提供してもよい。
【００６１】
このために、総合検索サービス提供部３４０は、検索エンジンを具備したインターネットポータルサイトを提供することができ、多数のユーザがインターネットポータルサイトに接続して番組関連検索語を検索する場合、総合検索部３４２は、多数のユーザが検索した検索語ログデータを検索ログＤＢ（図示せず）に保存し、これに基づいて番組に対する検索語プールを収集した後、検索語プールのうちユーザが現在視聴中の番組に関連してユーザが使用するものと予測される推薦検索語（キーワード）及び推薦検索語の変形語（類似語）を生成して提供することができる。ここで、推薦検索語は、現在放送中の番組の代表キーワードと現在放送中の番組に関連された検索語とを含む。
【００６２】
総合検索部３４２について続いて説明すれば、総合検索部３４２は、検索ウィンドウに検索語が入力された場合、入力された検索語と関連がある情報を、検索語と関連がある放送番組、ビデオ・オン・デマンド（ＶＯＤ）、コンテンツ、ブログ、カフェ、イメージ、ニュース及び知識サービスなどのような多様なカテゴリで検索する。
【００６３】
一方、検索結果提供部３４３は、総合検索部３４２で検索された多様な情報を、カテゴリに対応する内容に応じて、総合検索結果領域に含まれた複数のタブ各々に提供する。
【００６４】
すなわち、総合検索部３４２で検索された多様な情報のうち放送番組と関連があるものは、総合検索結果領域に含まれた複数のタブのうち放送番組タブに提供されて、ビデオ・オン・デマンド（ＶＯＤ）タブと関連があるものは、複数のタブのうちＶＯＤタブに提供される。このような方式でブログ、カフェ、イメージ、ニュース及び知識サービスの検索結果と関連がある各情報は、該当するカテゴリに対応するタブに各々提供される。
【００６５】
この際、検索結果提供部３４３は、入力された検索語と関連があるビデオ・オン・デマンド（ＶＯＤ）を番組単位に加工してＶＯＤタブに提供する。さらに詳細に説明すれば、例えば、「食客」という検索語が入力された場合、食客に関連したビデオ・オン・デマンド（ＶＯＤ）は「映画食客」、「ドラマ食客」及び「ドキュメンタリー食客」などのように多様な番組があるが、検索結果提供部３４３は、入力された検索語と関連があるビデオ・オン・デマンド（ＶＯＤ）を前述したように映画、ドラマ及びドキュメンタリー別に分類してＶＯＤタブに提供する。
【００６６】
この際、検索結果提供部３４３は、番組の代表イメージ、放送（封切り）日付及び出演陣などを各番組とマッチングさせてＶＯＤタブに提供してもよい。検索結果提供部３４３は、当該ビデオ・オン・デマンド（ＶＯＤ）がシリーズ番組であり、そのシリーズ番組が選択された場合、当該番組の１話毎のコンテンツリストを提供することもできる。
【００６７】
すなわち、シリーズ番組の場合には、１話毎のコンテンツが区分されるが、ＶＯＤタブでは、検索結果提供空間を最大限利用するために、１話毎のコンテンツを番組単位に加工して１次的に表示し、ユーザの選択命令に応答して１話毎のコンテンツのリストを提供してもよい。
【００６８】
また、検索結果提供部３４３は、入力された検索語と関連がある放送番組を、既に保存された放送属性情報とマッチングさせて放送番組タブに提供してもよい。ここで、放送属性情報は、放送番組のチャネル名（ＭＢＣ、ＳＢＳ、ＫＢＳなど）、番組名、代表イメージ、放送日付及び出演陣のうち一つ以上を含む。
【００６９】
一方、番組提供部３４４は、前述した放送番組タブまたはＶＯＤタブに提供された番組のうちいずれか一つが選択された場合、現在放送中の番組を選択された番組に変更して放送する。
【００７０】
以下、図５乃至図１４を参照して本発明の実施形態による総合検索結果領域を説明し、現在視聴中の番組は、「ＳＢＳ放送局」で放送する「ハッピーサンデー１泊２日」と仮定する。
【００７１】
図５は、本発明の一実施形態による番組放送中に総合検索サービスを提供する装置を通じてテレビ画面に表示された総合検索結果領域を示す図である。
【００７２】
本発明の一実施形態による番組放送中に総合検索サービスを提供する総合検索結果領域５００は、検索語を入力することができる検索ウィンドウ５１０と、検索ウィンドウ５１０に隣接する複数のタブ５２０とを含む。複数のタブ５２０は、検索ウィンドウ５１０に入力された検索語と関連があるコンテンツタブ５２１、知識サービスの検索結果タブ５２２、ブログタブ５２３、カフェタブ５２４、イメージタブ５２５、ニュースタブ５２６、放送番組タブ５２７及びＶＯＤタブ５２８を含む。
【００７３】
参照として、放送番組タブ５２７及びＶＯＤタブ５２８に提供される放送番組とビデオ・オン・デマンド（ＶＯＤ）とに対するデータは、別途の放送事業者から提供されてもよい。
【００７４】
図５に示された図面は、番組放送中に、検索ウィンドウ５１０に「食客」という検索語が入力され、「食客」と関連がある多様な検索結果が総合検索結果領域５００に提供された状態で、複数のタブ５２０のうちＶＯＤタブ５２８が選択されたことを示すものである。
【００７５】
この際、ユーザがリモコン３３３を用いていずれか一つのタブを選択すると、総合検索結果領域５００に含まれた複数のタブ５２０は、選択されたタブが選択されない他のタブよりも拡張されるか、または、選択されたタブの色相が選択されないタブの色相とは異なるようにして、選択されたタブと選択されないタブとの区分を明確に表示してもよい。
【００７６】
図５では、検索ウィンドウ５１０に入力された「食客」という検索語と関連があるビデオ・オン・デマンドがドラマ、映画及び映画予告編などのような番組単位で分類されており、各番組に対して、その番組の代表イメージ、番組名、放映期間、ジャンル及び出演陣のような番組情報が表示されている。
【００７７】
参照として、総合検索結果領域５００は、図５に示すように、テレビ画面の全体を占めており、現在放送中の番組にオーバーレイされてテレビ画面の下段にバー形状で位置してもよい。総合検索結果領域５００が現在放送中の番組を遮るという問題を解消するために、総合検索結果領域５００の透明度が調節されてもよい。
【００７８】
このために、総合検索結果領域５００をユーザ端末機３３０で出力可能な画面形式で処理する画面処理部（図示せず）が総合検索サービス提供部３４０に追加で含まれてもよい。また、これとは異なって、画面処理部(図示せず)がユーザ端末機３３０内に存在するように構成されてもよい。
【００７９】
参照として、図５では、総合検索結果領域５００がテレビ画面の下段にバー形状で位置する場合を説明したが、本発明の実施形態による総合検索結果領域５００は、前述した画面処理部（図示せず）を通じてテレビ画面の下段でない、左右のいずれの部分に位置するように設定されてもよい。
【００８０】
図６は、本発明の一実施形態による番組放送中に総合検索サービスを提供する装置を通じてテレビ画面に表示された総合検索結果領域を示す図である。
【００８１】
図６に示された図面は、番組放送中に、検索ウィンドウ５１０に「キムレウォン」という検索語が入力され、「キムレウォン」と関連がある多様な検索結果が総合検索結果領域５００に提供された状態で、複数のタブ５２０のうち、図５と同様に、ＶＯＤタブ５２８が選択されたことを示すものである。
【００８２】
図６には、検索ウィンドウ５１０に入力された「キムレウォン」という検索語と関連があるビデオ・オン・デマンド（ＶＯＤ）がドラマ、映画及び映画予告編などのような番組単位で分類されており、各番組には、その番組の代表イメージ、番組名、放映期間、ジャンル及び出演陣のような番組情報が表示されている。
【００８３】
参照として、図５及び図６において、検索ウィンドウに入力された検索語で番組名（食客）及び人物名（キムレウォン）を使用したが、その他、登場キャラクタ名（例えば、ソンチャン‐キムレウォンは、食客というドラマにおいて「ソンチャン」というキャラクタ名を使用する）やチャンネル名（ＭＢＣ、ＳＢＳ、ＫＢＳなど）でも検索可能である。
【００８４】
また、ＶＯＤタブ５２８において、ユーザがリモコン３３３を用いて特定の番組を選択する場合、選択された番組がシリーズ番組ならば、１話毎のコンテンツリストが含まれたページが総合検索結果領域５００に提供され、ユーザは、そのページで視聴を希望する回を選択したり、１話毎のあらすじ表示を選択することができる。
【００８５】
仮に、選択された番組がシリーズ番組ではない場合、ビデオ・オン・デマンド（ＶＯＤ）詳細情報を示すページが総合検索結果領域５００に提供され、ユーザは、そのページを通じて選択した番組を鑑賞することができる。
【００８６】
図７は、本発明の一実施形態による番組放送中に総合検索サービスを提供する装置を通じてテレビ画面に表示された総合検索結果領域を示す図である。
【００８７】
図７に示された図面は、番組放送中に、検索ウィンドウ５１０に「ＳＢＳ」という検索語が入力され、「ＳＢＳ」と関連がある多様な検索結果が総合検索結果領域５００に提供された状態で、複数のタブ５２０のうち放送番組タブ５２７が選択されたことを示すものである。
【００８８】
選択された放送番組タブ５２７には、入力された検索語である「ＳＢＳ」と関連がある放送番組が提供されているが、現在時間の午後７時０３分  ７００を基準にして、各番組の放送時間が現在時刻に近い順に整列されている。
【００８９】
また、各番組には、放送番組のチャンネル名、番組名、代表イメージ、放送日付及び出演陣のような放送属性情報が表示されており、検索された放送番組がシリーズ番組の場合、放送属性情報にそのシリーズ番組の情報が１話毎に区分されて追加的に表示されてもよい。
【００９０】
仮に、ユーザがリモコン３３３を用いてシリーズ番組を選択する場合、放送番組タブ５２７には、１話毎にコンテンツリストが提供されてもよい。
【００９１】
図８は、本発明の一実施形態による番組放送中に総合検索サービスを提供する装置を通じてテレビ画面に表示された総合検索結果領域を示す図である。
【００９２】
図８に示された図面は、図７に示された放送番組タブ５２７に含まれた番組リストのうちユーザが特定の番組を選択した場合を示すものである。
【００９３】
ユーザがリモコン３３３を用いて特定の番組を選択すれば、図８に示されたように、その番組を視聴するための視聴ボタン８１０、その番組に対する詳細な情報を見るための詳細情報ボタン８２０及びその番組をあらかじめ選択（お気に入り）して、以後、その番組を放映中のお気に入りの番組タブ（図示せず）を通じて関心番組リストとして提供するためのお気に入りのボタン８３０を含む画面８００が図に示された画面にオーバーレイされる。
【００９４】
この際、オーバーレイされる画面８００が図７に示された画面を遮るという問題を解消するために、図示されるように、オーバーレイされる画面８００の透明度を調節してもよい。
【００９５】
図９は、本発明の一実施形態による番組放送中に総合検索サービスを提供する装置を通じてテレビ画面に表示された総合検索結果領域を示す図である。
【００９６】
図９に示された図面は、番組放送中に、検索ウィンドウ５１０に「食客」という検索語が入力され、「食客」と関連がある多様な検索結果が総合合検索結果領域５００に提供された状態で、複数のタブ５２０のうちコンテンツタブ５２１が選択されたことを示すものである。
【００９７】
選択されたコンテンツタブ５２１には、入力された検索語である「食客」と関連があるコンテンツのうち放送（ドラマ）コンテンツに関する情報が提供されており、提供された情報には、そのコンテンツが放送されるチャンネル名、番組名、代表イメージ、放送日付、出演陣、視聴率及びあらすじのような放送属性情報が表示されている。仮に、検索された放送番組がシリーズ番組の場合、放送属性情報にそのシリーズ番組の情報が１話毎に区分されて追加的に表示されてもよい。
【００９８】
図１０は、本発明の一実施形態による番組放送中に総合検索サービスを提供する装置を通じてテレビ画面に表示された総合検索結果領域を示す図である。
【００９９】
図１０に示された図面は、番組放送中に、検索ウィンドウ５１０に「食客」という検索語が入力され、「食客」と関連がある多様な検索結果が総合検索結果領域５００に提供された状態で、複数のタブ５２０のうち知識サービスの検索結果タブ５２２が選択されたことを示すものである。
【０１００】
選択された知識サービスの検索結果タブ５２２には、入力された検索語である‘食客’と関連がある知識サービスの検索結果が提供されており、ユーザは、リモコン３３３のような入力手段の所定キーを使用して、所望の知識サービスの検索結果を選択した後、選択した知識サービスの検索結果内容を見ることができる。
【０１０１】
図１１は、本発明の一実施形態による番組放送中に総合検索サービスを提供する装置を通じてテレビ画面に表示された総合検索結果領域を示す図である。
【０１０２】
図１１に示された図面は、番組放送中に、検索ウィンドウ５１０に「食客」という検索語が入力され、「食客」と関連がある多様な検索結果が総合検索結果領域５００に提供された状態で、複数のタブ５２０のうちブログタブ５２３が選択されたことを示すものである。
【０１０３】
選択されたブログタブ５２３には、入力された検索語である「食客」と関連がある内容を含むブログに対する検索結果が提供されており、ユーザは、リモコン３３３のような入力手段の所定キーを使用して所望の内容を選択した後、選択したブログの内容を見ることができる。
【０１０４】
図１２は、本発明の一実施形態による番組放送中に総合検索サービスを提供する装置を通じてテレビ画面に表示された総合検索結果領域を示す図である。
【０１０５】
図１２に示された図面は、番組放送中に、検索ウィンドウ５１０に「食客」という検索語が入力され、「食客」と関連がある多様な検索結果が総合検索結果領域５００に提供された状態で、複数のタブ５２０のうちカフェタブ５２４が選択されたことを示すものである。
【０１０６】
選択されたカフェタブ５２４には、入力された検索語である「食客」と関連がある内容を含むカフェに対する検索結果が提供されており、ユーザは、リモコン３３３のような入力手段の所定キーを使用して所望の内容を選択した後、選択したカフェの内容を見ることができる。
【０１０７】
図１３は、本発明の一実施形態による番組放送中に総合検索サービスを提供する装置を通じてテレビ画面に表示された総合検索結果領域を示す図である。
【０１０８】
図１３に示された図面は、番組放送中に、検索ウィンドウ５１０に「食客」という検索語が入力され、「食客」と関連がある多様な検索結果が総合検索結果領域５００に提供された状態で、複数のタブ５２０のうちイメージタブ５２５が選択されたことを示すものである。
【０１０９】
選択されたイメージタブ５２５には、入力された検索語である「食客」と関連がある多数のイメージが提供されており、ユーザは、リモコン３３３のような入力手段の所定キーを使用して所望のイメージを選択すると、選択したイメージに対する詳細な説明と拡大されたイメージとを鑑賞することができる。
【０１１０】
ここで、イメージに対する詳細な説明は、そのイメージの出処名、イメージ題目、使用されたカメラ情報及び登録者ＩＤなどを含んでもよい。
【０１１１】
図１４は、本発明の一実施形態による番組放送中に総合検索サービスを提供する装置を通じてテレビ画面に表示された総合検索結果領域を示す図である。
【０１１２】
図１４に示された図面は、番組放送中、検索ウィンドウ５１０に「食客」という検索語が入力され、「食客」と関連がある多様な検索結果が総合検索結果領域５００に提供された状態で、複数のタブ５２０のうちニュースタブ５２６が選択されたことを示すものである。
【０１１３】
選択されたニュースタブ５２６には、入力された検索語である「食客」と関連があるニュース記事が提供されており、ユーザは、リモコン３３３のような入力手段の所定キーを使用して所望のニュース（記事）を選択すると、選択したニュース（記事）に対する詳細な内容を確認することができる。
【０１１４】
ここで、選択したニュース（記事）に対する詳細な内容は、そのニュース（記事）の出処名、ニュース（記事）が記録された日付、及びニュース（内容）などを含んでもよい。
【０１１５】
図１５は、本発明の一実施形態による番組放送中に総合検索サービスを提供する過程を示すフローチャートである。
【０１１６】
説明の便宜上、図３に示されたシステム及び図４に示された番組放送中に総合検索サービスを提供する装置の構成を参照して説明し、ユーザ端末機３３０は、放送事業者サーバ３１０及びＩＰテレビ放送システム３２０を通じて番組を受信して放送すると仮定する。
【０１１７】
まず、総合検索結果領域提供部３４１は、ユーザ入力手段のキーの入力に応答して、番組放送中に総合検索サービスを提供するための総合検索結果領域をユーザ端末機３３０に提供する（Ｓ１５０１）。
【０１１８】
ここで総合検索結果領域は、番組放送中に検索語を入力することができる検索ウィンドウと、検索ウィンドウに入力された検索語に対して総合検索結果が提供される複数のタブとを含む。ここで、さらに、複数のタブは、検索語に関連した放送番組を現在時間に近い順に整列させて提供する放送タブと、検索語に関連したビデオ・オン・デマンド（ＶＯＤ）を番組単位当たりで提供するＶＯＤタブとを含んでもよい。
【０１１９】
その他、前述した複数のタブは、検索語に関連したコンテンツに関する情報を提供するコンテンツタブと、検索語に関連した内容を含むブログの情報を提供するブログタブと、検索語に関連した内容を含むカフェの情報を提供するカフェタブと、検索語に関連したイメージを提供するイメージタブと、検索語に関連したニュースを提供するニュースタブと、検索語に関連した知識サービスの検索結果を提供する知識タブのうち一つ以上をさらに含んでもよい。
【０１２０】
Ｓ１５０１の後に、総合検索部３４２は、検索ウィンドウに検索語が入力された場合、入力された検索語と関連がある情報を、検索語と関連がある放送番組、ビデオ・オン・デマンド（ＶＯＤ）、コンテンツ、ブログ、カフェ、イメージ、ニュース及び知識サービスなどのような多様なカテゴリで検索する（Ｓ１５０２）。
【０１２１】
Ｓ１０５２の後に、検索結果提供部３４３は、Ｓ１０５２で検索された多様な情報をカテゴリに対応する内容に応じて、総合検索結果領域に含まれた複数のタブ各々に提供する（Ｓ１５０３）。
【０１２２】
すなわち、総合検索部３４２で検索された多様な情報のうち放送番組と関連があるものは、総合検索結果領域に含まれた複数のタブのうち放送番組タブに提供され、ビデオ・オン・デマンド（ＶＯＤ）タブと関連があるものはＶＯＤタブに提供され、このような方式でブログ、カフェ、イメージ、ニュース及び知識サービスの検索結果と関連がある各情報を該当するカテゴリに対応するタブに各々提供される。
【０１２３】
この際、検索結果提供部３４３は、入力された検索語と関連があるビデオ・オン・デマンド（ＶＯＤ）を番組単位に加工してＶＯＤタブに提供し、番組の代表イメージ、放送（封切り）日付及び出演陣などを各番組とマッチングさせてＶＯＤタブに提供してもよい。
【０１２４】
検索結果提供部３４３は、仮に、当該ビデオ・オン・デマンドがシリーズ番組の場合、ユーザの選択命令に応答して総合検索結果領域に当該番組を１話毎に提供することもできる。
【０１２５】
また、検索結果提供部３４３は、入力された検索語と関連がある放送番組を既に保存された放送属性情報とマッチングさせて放送番組タブに提供することができる。ここで、放送属性情報は、放送番組のチャンネル名（ＭＢＣ、ＳＢＳ、ＫＢＳなど）、番組名、代表イメージ、放送日付及び出演陣のうち一つ以上を含む。
【０１２６】
Ｓ１５０３の後に、ユーザによって複数のタブのうちいずれか一つのタブが選択されれば、選択されたタブの内容が総合検索結果領域に表示される（Ｓ１５０４）。
【０１２７】
前述した本発明の説明は、例示のためのものであり、本発明の属する技術分野における通常の知識を有する者は、本発明の技術的思想や必須的な特徴を変更せずに、他の具体的な形態に容易に変形可能であることを理解することができる。
【０１２８】
したがって、以上で記述した実施形態は、すべての面において例示的なものであり、限定的でないものと解すべきである。例えば、単一型に説明されている各構成要素は、分散されて実装されてもよく、同様に、分散されたものと説明されている構成要素は、結合された形態で実装されてもよい。
【０１２９】
本発明の範囲は、前述した詳細な説明ではなく特許請求範囲によって示され、特許請求範囲の意味及び範囲、そしてその均等概念から導き出されるすべての変更または変形された形態が本発明の範囲に含まれるものと解すべきである。
【符号の説明】
【０１３０】
３４１  総合検索結果領域提供部
３４２  総合検索部
３４３  検索結果提供部
３４４  番組提供部
【図１】
2010158026.tif 000003
【図２】
2010158026.tif 000004
【図３】
2010158026.tif 000005
【図４】
2010158026.tif 000006
【図１５】
2010158026.tif 000007
【図５】
2010158026.tif 000008
【図６】
2010158026.tif 000009
【図７】
2010158026.tif 000010
【図８】
2010158026.tif 000011
【図９】
2010158026.tif 000012
【図１０】
2010158026.tif 000013
【図１１】
2010158026.tif 000014
【図１２】
2010158026.tif 000015
【図１３】
2010158026.tif 000016
【図１４】
2010158026.tif 000017